【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
複数のワイヤレス通信デバイス間でトーンを割り振る方法であって、
前記複数のワイヤレス通信デバイス間で複数のトーンを分けるトーン割り振りを決定することと、ここにおいて前記トーン割り振りを決定することは、
１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループのＮ個に１個のインスタンスを割り当てることと、各トーングループサイズは、前記ワイヤレス通信デバイスが前記トーングループの各インスタンスに対して割り振られる連続するトーンの数を示し、ここでＮは、前記複数のワイヤレス通信デバイスのうちの、前記サブバンド内でトーンを割り当てられるワイヤレス通信デバイスの数である、
を備える、
前記ワイヤレス通信デバイスに前記トーン割り振りのインジケーションを送信することと、
を備える方法。
【請求項２】
前記複数のトーンの各トーンが、前記複数のワイヤレス通信デバイスのうちの１つのワイヤレス通信デバイスにのみ割り振られ、前記トーン割り振りは、アップリンクまたはダウンリンク直交周波数分割多元接続メッセージのうちの１つのために使用される、請求項１に記載の方法。
【請求項３】
前記ワイヤレス通信デバイスに前記トーン割り振りの前記インジケーションを送信することは、メッセージのヘッダにおいて前記インジケーションを送信することを備える、または、
前記ワイヤレス通信デバイスに前記トーン割り振りの前記インジケーションを送信することは、トリガメッセージにおいて前記インジケーションを送信することを備える、請求項１に記載の方法。
【請求項４】
前記トーン割り振りを使用して前記複数のワイヤレス通信デバイスの各々にダウンリンクメッセージを送信することをさらに備える、請求項１に記載の方法。
【請求項５】
前記トーン割り振りを使用して前記ワイヤレス通信デバイスによって送信された、アップリンクメッセージを受信することをさらに備える、請求項１に記載の方法。
【請求項６】
前記サブバンドは、前記複数のワイヤレス通信デバイスのうちの２つ以上のデバイスに割り当てられる、請求項１に記載の方法。
【請求項７】
前記トーングループサイズは１よりも大きく、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、または、
前記トーングループサイズは１よりも大きく、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、請求項１に記載の方法。
【請求項８】
複数のワイヤレス通信デバイス間でトーンを割り振るための装置であって、
前記複数のワイヤレス通信デバイス間で複数のトーンを分けるトーン割り振りを決定するための手段と、ここにおいて前記トーン割り振りを決定するための手段は、
１つまたは複数のサブバンドを決定するための手段と、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループのＮ個に１個のインスタンスを割り当てるための手段と、各トーングループは、前記ワイヤレス通信デバイスが前記トーングループの各インスタンスに対して割り振られる連続するトーンの数を示し、ここでＮは、前記複数のワイヤレス通信デバイスのうちの、前記サブバンド内でトーンを割り当てられるワイヤレス通信デバイスの数である、
を備える、
前記ワイヤレス通信デバイスに前記トーン割り振りのインジケーションを送信するための手段と、
を備える装置。
【請求項９】
前記様々な手段は、
命令を記憶するメモリと、
前記メモリと結合され、前記命令を実行するように構成されたプロセッサと、前記命令は、
前記複数のワイヤレス通信デバイス間で複数のトーンを分ける前記トーン割り振りを決定するためのものであり、ここにおいて前記プロセッサは、
前記１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの前記ワイヤレス通信デバイスに前記トーングループのＮ個に１個のインスタンスを割り当てることと、各トーングループは、前記ワイヤレス通信デバイスが前記サブバンド内で前記トーングループの各インスタンスに対して割り振られる連続するトーンの前記数を示す前記サイズを有し、ここでＮは、前記複数のワイヤレス通信デバイスのうちの、前記サブバンド内でトーンを割り当てられるワイヤレス通信デバイスの前記数である
を行うように構成されることによって、前記トーン割り振りを決定するように構成される、
前記ワイヤレス通信デバイスに前記トーン割り振りの前記インジケーションを送信するように構成された送信機と、
で実装される、請求項８に記載の装置。
【請求項１０】
前記複数のトーンの各トーンが、前記複数のワイヤレス通信デバイスのうちの１つのワイヤレス通信デバイスにのみ割り振られ、前記トーン割り振りは、アップリンクまたはダウンリンク直交周波数分割多元接続メッセージのうちの１つのために使用される、請求項１４に記載の装置。
【請求項１１】
前記送信機は、メッセージのヘッダにおいて前記インジケーションを送信することによって、前記ワイヤレス通信デバイスに前記トーン割り振りの前記インジケーションを送信するように構成される、または、
前記送信機は、トリガメッセージにおいて前記インジケーションを送信することによって、前記ワイヤレス通信デバイスに前記トーン割り振りの前記インジケーションを送信するように構成される、請求項１４に記載の装置。
【請求項１２】
前記送信機は、前記トーン割り振りを使用して前記複数のワイヤレス通信デバイスの各々にダウンリンクメッセージを送信するようにさらに構成される、請求項１４に記載の装置。
【請求項１３】
前記トーン割り振りを使用して前記ワイヤレス通信デバイスによって送信された、アップリンクメッセージを受信するように構成された受信機をさらに備える、請求項１４に記載の装置。
【請求項１４】
前記トーングループサイズは１よりも大きく、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、または、
前記トーングループサイズは１よりも大きく、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、請求項１４に記載の装置。
【請求項１５】
コンピュータ上で実行されたとき、請求項１−７のうちの何れか一項に従った方法を実施するように構成されたコンピュータ実行可能な命令を備えるコンピュータプログラム。
【手続補正２】
【補正対象書類名】明細書
【補正対象項目名】０１２２
【補正方法】変更
【補正の内容】
【０１２２】
[00144]  前述の内容は本開示の態様を対象としているものの、本開示の他のおよびさらなる態様が、その基本的な範囲から逸脱することなく考案され得、その範囲は、以下に続く請求項によって決定される。
以下に本願の出願当初の特許請求の範囲に記載された発明を付記する。
［Ｃ１］
複数のワイヤレス通信デバイス間でトーンを割り振る方法であって、
前記複数のワイヤレス通信デバイス間で複数のトーンを分けるトーン割り振りを決定することと、ここにおいて前記トーン割り振りは、
１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てることと、ここにおいて前記トーングループサイズは、前記ワイヤレス通信デバイスが前記サブバンド内で割り振られる連続するトーンの数を示す、
を備える、
前記ワイヤレス通信デバイスに前記トーン割り振りの少なくとも一部分のインジケーションを送信することと、
を備える方法。
［Ｃ２］
前記複数のトーンの各トーンが、前記複数のワイヤレス通信デバイスのうちの１つのワイヤレス通信デバイスにのみ割り振られ、前記トーン割り振りは、アップリンクまたはダウンリンク直交周波数分割多元接続メッセージのうちの１つのために使用される、Ｃ１に記載の方法。
［Ｃ３］
前記ワイヤレス通信デバイスに前記トーン割り振りの少なくとも一部分の前記インジケーションを送信することは、メッセージのヘッダにおいて前記インジケーションを送信することを備える、Ｃ１に記載の方法。
［Ｃ４］
前記ワイヤレス通信デバイスに前記トーン割り振りの少なくとも一部分の前記インジケーションを送信することは、トリガメッセージにおいて前記インジケーションを送信することを備える、Ｃ１に記載の方法。
［Ｃ５］
前記トーン割り振りを使用して前記複数のワイヤレス通信デバイスの各々にダウンリンクメッセージを送信することをさらに備える、Ｃ１に記載の方法。
［Ｃ６］
前記トーン割り振りを使用して前記ワイヤレス通信デバイスによって送信された、アップリンクメッセージを受信することをさらに備える、Ｃ１に記載の方法。
［Ｃ７］
前記サブバンドは、前記複数のワイヤレス通信デバイスのうちの２つ以上のデバイスに割り当てられる、Ｃ１に記載の方法。
［Ｃ８］
前記トーングループサイズは１であり、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、Ｃ１に記載の方法。
［Ｃ９］
前記トーングループサイズは１であり、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、Ｃ１に記載の方法。
［Ｃ１０］
前記トーングループサイズは１よりも大きく、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、Ｃ１に記載の方法。
［Ｃ１１］
前記トーングループサイズは１よりも大きく、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、Ｃ１に記載の方法。
［Ｃ１２］
前記ワイヤレス通信デバイスは、前記サブバンド内のＮ個に１個のトーンを割り振られ、ここでＮは、前記複数のワイヤレス通信デバイスのうちの、前記サブバンド内のトーンを割り当てられるワイヤレス通信デバイスの数である、Ｃ１に記載の方法。
［Ｃ１３］
前記ワイヤレス通信デバイスは、前記サブバンド内のＮ個に１個のトーングループにおける前記トーングループサイズに従って複数の連続するトーンを割り振られ、ここでＮは、前記複数のワイヤレス通信デバイスのうちの、前記サブバンド内のトーンを割り当てられるワイヤレス通信デバイスの数である、Ｃ１に記載の方法。
［Ｃ１４］
複数のワイヤレス通信デバイス間でトーンを割り振るように構成された装置であって、
命令を記憶するメモリと、
前記メモリと結合され、前記命令を実行するように構成されたプロセッサと、前記命令は、
前記複数のワイヤレス通信デバイス間で複数のトーンを分けるトーン割り振りを決定するためのものであり、ここにおいて前記プロセッサは、
１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てることと、ここにおいて前記トーングループサイズは、前記ワイヤレス通信デバイスが前記サブバンド内で割り振られる連続するトーンの数を示す、
を行うように構成されることによって、前記トーン割り振りを決定するように構成される、
前記ワイヤレス通信デバイスに前記トーン割り振りの少なくとも一部分のインジケーションを送信するように構成された送信機と、
を備える装置。
［Ｃ１５］
前記複数のトーンの各トーンが、前記複数のワイヤレス通信デバイスのうちの１つのワイヤレス通信デバイスにのみ割り振られ、前記トーン割り振りは、アップリンクまたはダウンリンク直交周波数分割多元接続メッセージのうちの１つのために使用される、Ｃ１４に記載の装置。
［Ｃ１６］
前記送信機は、メッセージのヘッダにおいて前記インジケーションを送信することによって、前記ワイヤレス通信デバイスに前記トーン割り振りの少なくとも一部分の前記インジケーションを送信するように構成される、Ｃ１４に記載の装置。
［Ｃ１７］
前記送信機は、トリガメッセージにおいて前記インジケーションを送信することによって、前記ワイヤレス通信デバイスに前記トーン割り振りの少なくとも一部分の前記インジケーションを送信するように構成される、Ｃ１４に記載の装置。
［Ｃ１８］
前記送信機は、前記トーン割り振りを使用して前記複数のワイヤレス通信デバイスの各々にダウンリンクメッセージを送信するようにさらに構成される、Ｃ１４に記載の装置。
［Ｃ１９］
前記トーン割り振りを使用して前記ワイヤレス通信デバイスによって送信された、アップリンクメッセージを受信するように構成された受信機をさらに備える、Ｃ１４に記載の装置。
［Ｃ２０］
前記サブバンドは、前記複数のワイヤレス通信デバイスのうちの２つ以上のデバイスに割り当てられる、Ｃ１４に記載の装置。
［Ｃ２１］
前記トーングループサイズは１であり、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、Ｃ１４に記載の装置。
［Ｃ２２］
前記トーングループサイズは１であり、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、Ｃ１４に記載の装置。
［Ｃ２３］
前記トーングループサイズは１よりも大きく、前記１つまたは複数のサブバンドは単一のサブバンドを備え、前記トーン割り振りは、前記トーングループサイズに従って前記単一のサブバンド内で前記ワイヤレス通信デバイスにトーンを割り当てる、Ｃ１４に記載の装置。
［Ｃ２４］
前記トーングループサイズは１よりも大きく、前記１つまたは複数のサブバンドは複数のサブバンドを備え、前記トーン割り振りは、前記トーングループサイズに従って前記複数のサブバンドの各々内で前記ワイヤレス通信デバイスにトーンを割り当てる、Ｃ１４に記載の装置。
［Ｃ２５］
前記ワイヤレス通信デバイスは、前記サブバンド内のＮ個に１個のトーンを割り振られ、ここでＮは、前記複数のワイヤレス通信デバイスのうちの、前記サブバンド内のトーンを割り当てられるワイヤレス通信デバイスの数である、Ｃ１４に記載の装置。
［Ｃ２６］
前記ワイヤレス通信デバイスは、前記サブバンド内のＮ個に１個のトーングループにおける前記トーングループサイズに従って複数の連続するトーンを割り振られ、ここでＮは、前記複数のワイヤレス通信デバイスのうちの、前記サブバンド内のトーンを割り当てられるワイヤレス通信デバイスの数である、Ｃ１４に記載の装置。
［Ｃ２７］
複数のワイヤレス通信デバイス間でトーンを割り振るための装置であって、
前記複数のワイヤレス通信デバイス間で複数のトーンを分けるトーン割り振りを決定するための手段と、ここにおいて前記トーン割り振りを決定するための手段は、
１つまたは複数のサブバンドを決定するための手段と、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てるための手段と、ここにおいて前記トーングループサイズは、前記ワイヤレス通信デバイスが前記サブバンド内で割り振られる連続するトーンの数を示す、
を備える、
前記ワイヤレス通信デバイスに前記トーン割り振りの少なくとも一部分のインジケーションを送信するための手段と、
を備える装置。
［Ｃ２８］
ワイヤレス通信のための方法を実施するように構成されたコンピュータ実行可能な命令を備える非一時的なコンピュータ可読記憶媒体であって、前記方法は、
複数のワイヤレス通信デバイス間で複数のトーンを分けるトーン割り振りを決定することと、ここにおいて前記トーン割り振りを決定することは、
１つまたは複数のサブバンドを決定することと、各サブバンドは前記複数のトーンのサブセットを備える、
前記１つまたは複数のサブバンドのうちの１つのサブバンド内で、前記複数のワイヤレス通信デバイスのうちの１つのワイヤレス通信デバイスにトーングループサイズを割り当てることと、ここにおいて前記トーングループサイズは、前記ワイヤレス通信デバイスが前記サブバンド内で割り振られる連続するトーンの数を示す、
を備える、
前記ワイヤレス通信デバイスに前記トーン割り振りの少なくとも一部分のインジケーションを送信することと、
を備える非一時的なコンピュータ可読記憶媒体。